(57)【特許請求の範囲】
【請求項１】
薬液、栄養液等の内容物が充填された容器（１）に貼着されるラベル本体（６）と、前記容器（１）を吊り下げ可能とする吊下部（７）とを備えた吊り下げラベルにおいて、
前記ラベル本体（６）及び吊下部（７）は、裏面の全面に粘着層（１９）を設けた一枚の矩形状のシート体（３）から構成されており、
前記吊下部（７）は、シート体（３）の先端側の一辺から他辺側にむかって延びる一対の切り込（８）によりその両側部の間で所定幅を有するよう形成されるとともに、前記ラベル本体（６）に複数重ねに折り畳んで収納される長さを有し、前記吊下部（７）は、その先端側から引き出せるように、その裏面の前記粘着層（１９）に非粘着層（１０）が積層され且つ前記ラベル本体（６）に複数重ねに折り畳んで収納されていることを特徴とする吊り下げラベル。
【請求項２】
前記吊下部（７）の片面又は両面に表示印刷層が設けられている請求項１に記載の吊り下げラベル。
【発明の詳細な説明】
【０００１】
【発明の属する技術分野】
本発明は、例えば薬液、栄養液等の内容物が充填された容器を吊ることができる吊り下げラベルに関する。
【０００２】
【従来の技術】
従来、輸液等の薬液、経腸栄養剤や経口栄養剤等の栄養液などを収容した容器を、直接に点滴等用として逆さに吊るして使用する場合がある。かかる容器を逆さにして吊るす手段として、実開昭６０−１４４４４５号公報に記載の吊り下げラベルが公知である。同吊り下げラベルは、薬液、栄養液等が充填された容器に貼着されるラベル本体と、前記容器を吊り下げ可能とする吊下部とを一枚シートから構成したもので、該吊下部はシートの一部を切り離して吊下部が形成されるようになっている。
【０００３】
【発明が解決しようとする課題】
前記従来の吊り下げラベルは、一枚シートを切り離して吊下部を形成する構成であるため、その吊下部の長さが短く、吊り下げラベルを容器に貼着する位置によっては、該容器が邪魔になって容器を吊り下げ難くなる欠点があった。
【０００４】
また、吊り下げラベルの表示面積は、該ラベルが貼着される容器の大きさにより必然的に決定されるため、吊り下げラベルの表示面積が十分に確保できないおそれもあった。
【０００５】
本発明は、上記従来の問題点に鑑みてなされたもので、吊下部を長く設けることにより、容器の吊り下げを容易に行え、しかも、表示面積を大きくすることができる吊り下げラベルを提供することを課題とする。
【０００６】
【課題を解決するための手段】
本発明が上記課題を解決するために講じた技術的手段は、薬液、栄養液等の内容物が充填された容器１に貼着されるラベル本体６と、前記容器１を吊り下げ可能とする吊下部７とを備えた吊り下げラベルにおいて、前記ラベル本体６及び吊下部７は、裏面の全面に粘着層１９を設けた一枚の矩形状のシート体３から構成されており、前記吊下部７は、シート体３の先端側の一辺から他辺側にむかって延びる一対の切り込８によりその両側部の間で所定幅を有するよう形成されるとともに、前記ラベル本体６に複数重ねに折り畳んで収納される長さを有し、前記吊下部７は、その先端側から引き出せるように、その裏面の前記粘着層１９に非粘着層１０が積層され且つ前記ラベル本体６に複数重ねに折り畳んで収納されていることにある。
【０００７】
そして、容器１を吊り下げる際には、収納されている吊下部７を引っ張り出すことにより、その吊下部７を長くすることができ、容易に吊下部を所定の被係止部に係止することができる。
【０００８】
しかも、ラベル本体６のみならず、長くなる吊下部７にも任意の表示が可能となるため、表示面積が大きくなる。
【０００９】
【発明の実施の形態】
以下、本発明の実施の形態について図面を参照して説明する。
図１〜図５は本発明の一実施の形態を示す。図４に示す容器１の周面１ａには、該容器１内に充填された医薬品又は栄養液等の品名や製造販売者名等を表示する文字等を印刷した吊り下げラベル５が貼着されている。
【００１０】
前記吊り下げラベル５は、例えばポリエチレンやポリアミド等のプラスチックフィルムや合成紙、紙又はこれらの積層体から形成された一枚シート体３を三つ折りにして形成されたもので、該シート体３に平行に切り込８を形成することにより、容器１に貼着されるラベル本体６と、該ラベル本体６から引っ張り出せる吊下部７とが形成されている。尚、前記切り込８はラベル本体６の一辺６ａ側（シート体３が折り畳まれて複数層になった側）から他辺６ｂの近傍まで連続して形成されている。
【００１１】
具体的には、吊下部７は、図３（ロ）に示す如くラベル本体６の両側部６ｃの間に位置する第一吊下部７ａと、該第一吊下部７ａから延設されて他辺６ｂ側に折り畳まれた第二吊下部７ｂと、該二吊下部７ｂから延設されて一辺６ａ側に折り込まれた第三吊下部７ｃを、表面側から備えている。尚、第三吊下部７ｃの先端部７ｄは前記ラベル本体６から突出し、その先端部７ｄには吊り下開口９が形成されている。尚、前記ラベル本体６の目視できる表面と、第一吊下部７ａ、第二吊下部７ｂ及び第三吊下部７ｃの表裏面又は一面に表示印刷層が適宜設けられている。
【００１２】
図２（イ）に前記吊り下げラベル５の展開状態の背面図を示す。吊り下げラベル５の裏面には、粘着層１９が設けられている。また、第一吊下部７ａ乃至第三吊下部７ｃの裏面中央の所定幅に対応する部分には、前記粘着層１９の表面に非粘着層１０が積層されている（図２（イ）及び（ロ）に斜線で示す）。
【００１３】
そして、図２（ロ）及び図３（イ）及び（ロ）に示す如くシート体３を折り畳み、粘着層１９によりシート体３の上片３ａと中片３ｂとを接着させると共に、中片３ｂの一辺を下片３ｃの一辺に接着剤１１により弱接着する。また、折り畳まれたシート体３を、粘着層１９により剥離紙１２に剥離自在に貼着する。
【００１４】
次に、吊下部７の突出する先端部７ｄと同じ幅（前記非接着層１０の幅よりも若干狭い幅）で一対の切り込８，８を形成する。この切り込８，８は、シート体３の上，中，下片３ａ，３ｂ，３ｃにわたって形成し、剥離紙１２に貼着された吊り下げラベル５を完成する。
【００１５】
そして、吊り下げラベル５を剥離紙１２から剥離し、容器１の周面１ａの所定位置に貼着する。このとき、吊り下げラベル５の吊下部の突出部が下向き方向（容器１の底面側を向く方向）となるようにする（図４参照）。吊り下げラベル５は容器１の底部１ｂの近傍に貼着するのが好ましいが、本実施の形態の吊り下げラベル５は、引っ張り出すことにより吊下部７を長くできるので、必ずしも底部１ｂ近傍に貼着しなくても良く、任意の位置に貼着することも可能である。
【００１６】
前記容器１を吊り下げる場合には、先ず、吊り下げラベル５の吊下部７の先端部７ｄを、容器１の底部１ｂ方向に引っ張ると、吊下部７の弱接着が剥離され、折り畳んで収納されていた吊下部７が引っ張り出される（図５参照）。このとき、吊下部７の第三吊下部７ｃは、非粘着層１０により容器１の周面１ｂと実質的に非接着にあり、また、非粘着層１０により第一吊下部７ａ及び第二吊下部７ｂも非接着状態であるため、折り畳まれていた第二吊下部７ｂ及び第三吊下部７ｃは、容易に引っ張り出すことができ、第一吊下部７ａに沿って略直線状となる。
【００１７】
そして、引っ張り出された吊下部７の吊り下開口９を、フック等の被係止手段１５に係止することにより、容器１を安定して下方向きに吊り下げることができる。また、引っ張り出されるた吊下部７は長くなることから、その表裏面又は一面に印刷を施すことにより、表示面積が拡大する。
【００１８】
本発明は前記実施の形態に限定されるものではなく、ラベルの形状及び大きさは、任意の形状に設定可能である。また、上記実施の形態では、折り畳まれたシート体３に連続した線状の切り込８を形成することにより、ラベル本体６と吊下部７とを形成したが、切り込８は、一ヶ所又は数ヶ所に接続部（切り込まれていない部分）を残したものでも良く、ミシン目に切り込まれたもの等であっても良い。
【００１９】
また、図６（イ）及び（ロ）に示す如く、切り込やミシン目等を設けることなく、上，中片３ａ，３ｂの全体を吊下部７としても良い。具体的には、下片３ｃと中片３ｂとが弱接着層１１ａで弱接着され、下片３ｃはラベル本体６として、粘着層１９を介して容器１に貼着可能となっている。また、上，中片３ａ，３ｂ間は、非粘着層１０により略全体が接着しないようになっていると共に、部分的に非粘着層１０によって粘着層１９の被覆されていない部分１９ａにより、部分的に弱接着されている。
【００２０】
かかる実施の形態の吊り下げラベル５も突出する上片３ａの先端部を引っ張ると、それぞれの弱接着が剥離され、上，中片３ａ，３ｂを引っ張り出すことが可能となる。
【００２１】
更に、図７（イ）及び（ロ）に示す如く、折り畳まれた吊下部の他端側を延設して該吊下部を被覆する被覆部１７が設けられている。該被覆部１７の先端部１７ａと、最下部の底面部１８とに粘着層が設けられ、前記先端部１７ａと、底面部１８が容器１に貼着さている。また、前記被覆部１７の先端部１７ａには、ミシン目２０が形成されており、該ミシン目２０に沿って被覆部１７を破断することにより、吊下部７を引き出すことが可能となる（図７（ロ）参照）。尚、前記被覆部１７及び底面部１８によりラベル本体６が構成される。
更に、吊下部７は二つ折り又は三つ折りに限らずそれ以上の複数折りとすることも可能である。
【００２２】
また、容器１を安定して吊り下げるために、上記吊り下げラベルを容器１の２カ所以上の複数ヶ所に貼着所することもできる。
また、図８（イ）及び（ロ）に示す如く、一枚の吊り下げラベル５に吊り下げ部７を複数ヶ所（本実施の形態では２ヶ所）設けることも可能である。かかる場合には、一枚の吊り下げラベル５で容器１を安定して吊り下げることができる。
【００２３】
【発明の効果】
本発明の吊り下げラベルは、吊下部が、その先端側から引き出せるように、前記ラベル本体に複数重ねに折り畳んで収納されているので、吊下部を長く設けることができ、容器の吊り下げを容易に行えると共に、ラベル全体の表示面積を大きくすることができる利点がある。
【図面の簡単な説明】
【図１】本発明の第一実施の形態の斜視図である。
【図２】（イ）は吊り下げラベルの展開図を示す背面斜視図、（ロ）は吊り下げラベルの折り畳み状態を示す背面斜視図である。
【図３】（イ）は図１のＡ−Ａ線矢視断面図、（ロ）は図１のＢ−Ｂ線矢視断面図である。
【図４】容器に本発明の吊り下げラベルを貼着した斜視図である。
【図５】容器を吊り下げた状態の斜視図である。
【図６】本発明の他の実施の形態を示し、（イ）は斜視図、（ロ）は断面図である。
【図７】本発明の更に他の実施の形態を示し、（イ）は容器に貼着された吊り下げラベルの斜視図、（ロ）は容器を吊り下げる状態の斜視図である。
【図８】本発明の更に他の実施の形態を示し、（イ）は吊り下げラベルの正面図、（ロ）は容器を吊り下げる状態の斜視図である。
【符号の説明】
１…容器、６…ラベル本体、７…吊下部
【図１】
0004865970.tif 000002
【図２】
0004865970.tif 000003
【図３】
0004865970.tif 000004
【図４】
0004865970.tif 000005
【図５】
0004865970.tif 000006
【図６】
0004865970.tif 000007
【図７】
0004865970.tif 000008
【図８】
0004865970.tif 000009